(57)【要約】【課題】製造・組立を容易に行うことができ、組み付け時の調整を短時間で行うことが可能なドアクローザ用外装式ストップ装置を得る。【解決手段】ドアクローザ用外装式ストップ装置は、ドア枠１０３に固定設置されるブラケット１０と、所定の開度を調節可能であるとともに所定の開度でドア１００を固定保持するための保持力を及ぼすことが可能な開度調節保持機構２０と、一端側が開度調節保持機構２０を介してブラケット１０に回転移動可能に接続されるとともに他端側がアーム１０２に回転移動可能に接続されるリンク３０と、を備える。また、リンク３０は、開度調節保持機構２０から及ぼされる保持力を受容して所定の開度でのドア１００の固定保持を実現する受容体としてのカムフォロワ３１を備えている。【選択図】図２
2007138458.tif 000002
【特許請求の範囲】
【請求項１】
ドア枠と、ドアに設置されたドアクローザ本体から延びるアームとの間に設置され、ドアが所定の開度に達したときにドアの開閉動作を規制して前記所定の開度でドアを固定保持するドアクローザ用外装式ストップ装置であって、
ドア枠に固定設置されるブラケットと、
前記所定の開度を調節可能であるとともに、前記所定の開度でドアを固定保持するための保持力を及ぼすことが可能な開度調節保持機構と、
一端側が前記開度調節保持機構を介して前記ブラケットに回転移動可能に接続されるとともに、他端側が前記アームに回転移動可能に接続されるリンクと、
を備え、
前記リンクは、前記開度調節保持機構から及ぼされる保持力を受容して前記所定の開度でのドアの固定保持を実現する受容体を備えることを特徴とするドアクローザ用外装式ストップ装置。
【請求項２】
請求項１に記載のドアクローザ用外装式ストップ装置において、
前記ブラケットは、鉛直下方向に垂設されるとともに外周面に雄側セレーションを有するセレーション軸を備え、
前記開度調節保持機構は、前記雄側セレーションに歯合する雌側セレーションを内周面に備える基準部材と、前記基準部材の外周面にバネを介して摺接することによって一方向に水平移動自在なカム部材とを備え、
前記カム部材には、前記水平移動する方向の一端側にカム部が形成され、
前記リンクが備える前記受容体は、鉛直上方向に立設される軸体と、前記軸体に回転自在に設置されるローラとから構成されるカムフォロワであり、
前記カム部に対して前記カムフォロワが嵌入することによって前記リンクの移動が規制され、前記ドアの固定保持が成されることを特徴とするドアクローザ用外装式ストップ装置。
【請求項３】
請求項２に記載のドアクローザ用外装式ストップ装置において、
前記基準部材は、カム部材が水平移動する方向の一端側に摺動軸を備えるとともに、別端側に前記バネからの弾性力を受ける凹部を備え、
前記カム部材は、前記摺動軸を導通して前記基準部材に対するカム部材の水平移動を案内する軸孔と、前記凹部に当接する前記バネの当接面とは別端側に位置して前記バネの弾性力を調節する弾性力調節機構とを備えることを特徴とするドアクローザ用外装式ストップ装置。
【請求項４】
請求項３に記載のドアクローザ用外装式ストップ装置において、
前記弾性力調節機構は、
前記カム部材が備えるねじ孔に螺合する調整ねじと、
前記調整ねじと前記バネとの間に狭持されるバネ力調整部材と、
から構成されることを特徴とするドアクローザ用外装式ストップ装置。
【請求項５】
請求項２〜４のいずれか１項に記載のドアクローザ用外装式ストップ装置において、
前記基準部材は前記雌側セレーションが前記雄側セレーションに歯合した状態で、前記リンクは前記ブラケットに垂設される前記セレーション軸の下端部を収納可能なセレーション軸受を介した状態で、いずれも前記セレーション軸に対して組立ボルトを用いて固定され、
前記基準部材は、前記組立ボルトを弛めたときには前記雌側セレーションと前記雄側セレーションの歯合が解除されて回転移動が可能となり、前記組立ボルトを締めたときには前記雌側セレーションと前記雄側セレーションが歯合して回転移動が規制され、一方、
前記リンクは、前記組立ボルトの締弛に関わらず回転移動可能であることを特徴とするドアクローザ用外装式ストップ装置。
【請求項６】
請求項２〜５のいずれか１項に記載のドアクローザ用外装式ストップ装置において、
前記基準部材と前記カム部材との摺接面が平面として構成されることを特徴とするドアクローザ用外装式ストップ装置。
【発明の詳細な説明】
【技術分野】
【０００１】
本発明は、ドアを所望の開度で停止させるために用いられるドアクローザ用外装式ストップ装置の改良に関するものである。
【背景技術】
【０００２】
従来から、ドアの閉まる速度を一定に調整する装置として、ドアクローザが知られている。このドアクローザには、ドアの開いた状態を保持するストップ装置付きのものとストップ装置なしのものとが存在する。ストップ装置付きのドアクローザは、例えば、図４において例示されるような取り付けが成される装置である。すなわち、一般的なドアクローザは、ドア１００に固定されるドアクローザ本体１０１と、このドアクローザ本体１０１から延びるアーム１０２と、アーム１０２とドア枠１０３との間に設置される外装式ストップ装置１０４とから構成されている。
【０００３】
ドアクローザを構成する部材のうち、外装式ストップ装置１０４は、ドア枠１０３に固定されるブラケット１０５と、ブラケット１０５に回転可能に連結されたリンク１０６と、リンク１０６とアーム１０２とを連結するアジャストリンク１０７とから構成される装置であり、ドア１００が所定の開度に達したときにドア１００の開閉動作を規制し、所定の開度でドア１００を固定保持する役目を担う装置である。
【０００４】
従来の外装式ストップ装置１０４の具体的な構成は、例えば、図５に示すごときものである。なお、図５は、従来の外装式ストップ装置を説明するための部分破断図であり、図５中（ａ）は外装式ストップ装置の外観上面を示し、図５中（ｂ）は縦断面側面を示している。従来の外装式ストップ装置１０４を構成する部材のうち、ドア枠１０３に固定されるブラケット１０５は、カム板１１０を有している。このカム板１１０は、ブラケット１０５との接続面にセレーション形状１１１を有しており、ブラケット１０５とカム板１１０の両方に形成されたセレーションを噛み合わせた状態で組立ボルト１１２によって固定されている。ただし、組立ボルト１１２を弛めるとセレーションの歯合が解除され、ブラケット１０５に対するカム板１１０の設置角度を変更することが可能である。
【０００５】
一方、リンク１０６の内部には、バネ１１３と、このバネ１１３からの弾性力を受けることによって常にブラケット１０５方向へ押圧される球体１１４とが設置されている。また、バネ１１３の球体１１４接触側とは逆側には調整ねじ１１５が設置されており、この調整ねじ１１５の締弛によってバネ１１３の弾性力が調節可能となっている（図６参照）。さらに、リンク１０６は、組立ボルト１１２の位置を回転中心として回転移動自在な状態でブラケット１０５と接続している。したがって、リンク１０６はドア１００の開閉動作に伴って回転移動可能であるが、球体１１４がカム板１１０に嵌り込むと回転移動が規制され、その結果、ドア１００の開閉動作が停止されるようになっている。なお、リンク１０６の調整ねじ１１５設置側にはアジャストリンク１０７が螺合しており、リンク１０６とアーム１０２との連結が実現されている。
【０００６】
【特許文献１】実開昭５７−１５３６７８号公報
【特許文献２】特開２００４−６０２２８号公報
【特許文献３】特開平１１−２９４００６号公報
【発明の開示】
【発明が解決しようとする課題】
【０００７】
ところで、上述した従来の外装式ストップ装置１０４は、リンク１０６の内部にバネ１１３等の弾性部材を設置し、かかる弾性部材の弾性力によって所定位置でのドア１００の停止を実現するものであった。このような構成は、これまで種々の改良が成されてきた外装式ストップ装置に共通して採用されてきた構成であり、リンク１０６内部にバネ１１３等の弾性部材を設置するという基本的構成に改良を加えたものは見受けられない（例えば、上記特許文献１〜３参照）。
【０００８】
しかしながら、中空棒状のリンク１０６内部に対してバネ１１３や球体１１４、調整ねじ１１５等を配置する構成は、多くの加工工程や組立工程を要するので、製造コストを削減する余地が多く残されている。また、従来の外装式ストップ装置１０４では、リンク１０６内部という非常に狭い空間にバネ１１３が設置されていることから、図６に示されるように、バネ１１３の弾性力を調整する作業も、ストップ装置付のドアクローザがドア１００に取り付けられている場合にはまずアーム１０２とアジャストリンク１０７の結合を取り外し、ついでアジャストリンク１０７を取り外し方向に回転させてリンク１０６より取り外し、さらに狭く細い孔にドライバー１１８を差し込んで調整ねじ１１５を操作しなければならないというものであり、その作業は熟練と時間を要するものであった。
【０００９】
本発明は、上述した課題の存在に鑑みて成されたものであって、その目的は、製造・組立を容易に行うことができ、しかも組み付け時の調整を短時間で行うことが可能な、従来にはないドアクローザ用外装式ストップ装置を提供することにある。
【課題を解決するための手段】
【００１０】
以下、本発明について説明する。なお、本発明の理解を容易にするために添付図面の参照番号を括弧書きにて付記するが、それにより本発明が図示の形態に限定されるものではない。
【００１１】
本発明に係るドアクローザ用外装式ストップ装置は、ドア枠（１０３）と、ドア（１００）に設置されたドアクローザ本体（１０１）から延びるアーム（１０２）との間に設置され、ドア（１００）が所定の開度に達したときにドア（１００）の開閉動作を規制して前記所定の開度でドア（１００）を固定保持するドアクローザ用外装式ストップ装置であって、ドア枠（１０３）に固定設置されるブラケット（１０）と、前記所定の開度を調節可能であるとともに、前記所定の開度でドア（１００）を固定保持するための保持力を及ぼすことが可能な開度調節保持機構（２０）と、一端側が前記開度調節保持機構（２０）を介して前記ブラケット（１０）に回転移動可能に接続されるとともに、他端側が前記アーム（１０２）に回転移動可能に接続されるリンク（３０）と、を備え、前記リンク（３０）は、前記開度調節保持機構（２０）から及ぼされる保持力を受容して前記所定の開度でのドア（１００）の固定保持を実現する受容体（３１）を備えることを特徴とする。
【００１２】
本発明に係るドアクローザ用外装式ストップ装置において、前記ブラケット（１０）は、鉛直下方向に垂設されるとともに外周面に雄側セレーション（１２）を有するセレーション軸（１１）を備え、前記開度調節保持機構（２０）は、前記雄側セレーション（１２）に歯合する雌側セレーション（２２）を内周面に備える基準部材（２１）と、前記基準部材（２１）の外周面にバネ（２５）を介して摺接することによって一方向に水平移動自在なカム部材（２３）とを備え、前記カム部材（２３）には、前記水平移動する方向の一端側にカム部（２４）が形成され、前記リンク（３０）が備える前記受容体（３１）は、鉛直上方向に立設される軸体（３２）と、前記軸体（３２）に回転自在に設置されるローラ（３３）とから構成されるカムフォロワ（３１）であり、前記カム部（２４）に対して前記カムフォロワ（３１）が嵌入することによって前記リンク（３０）の移動が規制され、前記ドア（１００）の固定保持が成されることとすることができる。
【００１３】
また、本発明に係るドアクローザ用外装式ストップ装置において、前記基準部材（２１）は、カム部材（２３）が水平移動する方向の一端側に摺動軸（２６）を備えるとともに、別端側に前記バネ（２５）からの弾性力を受ける凹部（２７）を備え、前記カム部材（２３）は、前記摺動軸（２６）を導通して前記基準部材（２１）に対するカム部材（２３）の水平移動を案内する軸孔（２３ｂ）と、前記凹部（２７）に当接する前記バネ（２５）の当接面とは別端側に位置して前記バネ（２５）の弾性力を調節する弾性力調節機構（２８）とを備えることとすることができる。
【００１４】
さらに、本発明に係るドアクローザ用外装式ストップ装置において、前記弾性力調節機構（２８）は、前記カム部材（２３）が備えるねじ孔（２３ｃ）に螺合する調整ねじ（２８ａ）と、前記調整ねじ（２８ａ）と前記バネ（２５）との間に狭持されるバネ力調整部材（２８ｂ）と、から構成されることとすることができる。
【００１５】
またさらに、本発明に係るドアクローザ用外装式ストップ装置において、前記基準部材（２１）は前記雌側セレーション（２２）が前記雄側セレーション（１２）に歯合した状態で、前記リンク（３０）は前記ブラケット（１０）に垂設される前記セレーション軸（１１）の下端部を収納可能なセレーション軸受（４０）を介した状態で、いずれも前記セレーション軸（１１）に対して組立ボルト（５０）を用いて固定され、前記基準部材（２１）は、前記組立ボルト（５０）を弛めたときには前記雌側セレーション（２２）と前記雄側セレーション（１２）の歯合が解除されて回転移動が可能となり、前記組立ボルト（５０）を締めたときには前記雌側セレーション（２２）と前記雄側セレーション（１２）が歯合して回転移動が規制され、一方、前記リンク（３０）は、前記組立ボルト（５０）の締弛に関わらず回転移動可能であることとすることができる。
【００１６】
さらにまた、本発明に係るドアクローザ用外装式ストップ装置では、前記基準部材（２１）と前記カム部材（２３）との摺接面が平面（２１ａ，２３ａ）として構成されることが好適である。
【００１７】
なお上記発明の概要は、本発明の必要な特徴の全てを列挙したものではなく、これらの特徴群のサブコンビネーションもまた発明となり得る。
【発明の効果】
【００１８】
本発明によれば、従来のストップ装置に比べて製造・組立を容易に行うことができ、しかも組み付け時の調整を短時間で行うことが可能なドアクローザ用外装式ストップ装置を提供することができる。したがって、従来技術に比べて製造コストを削減することができるだけでなく、設置時間や調整時間の短縮に伴う作業コストの削減をも実現することができる。
【発明を実施するための最良の形態】
【００１９】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２０】
図１は、本実施形態に係るドアクローザ用外装式ストップ装置を説明するための部分破断図であり、図１中（ａ）はドアクローザ用外装式ストップ装置の外観上面を示し、図１中（ｂ）は縦断面側面を示している。また、図２は、本実施形態に係るドアクローザ用外装式ストップ装置の構成部材を詳細に説明するための分解図である。なお、従来技術で示した部材と同一又は類似する部材については、同一符号を付して説明を省略する。
【００２１】
本実施形態に係るドアクローザ用外装式ストップ装置は、主な構成部材として、ドア枠１０３に固定設置されるブラケット１０と、一端側がブラケット１０に回転移動可能に接続されるとともに他端側がアーム１０２に回転移動可能に接続されるリンク３０と、これらブラケット１０とリンク３０との間に設置される開度調節保持機構２０とを備えている。
【００２２】
ブラケット１０は、図２においてより詳細に示されるように、鉛直下方向に垂設されるとともに外周面に雄側セレーション１２を有するセレーション軸１１を備える部材である。セレーション軸１１は、後述するリンク３０が回転移動する際の回転中心となる軸体であり、リンク３０を介して及ぼされるドア１００からの負荷を受ける部材である。
【００２３】
開度調節保持機構２０は、所定の開度でドア１００を固定保持するための保持力を及ぼすことが可能な部材であり、この所定の開度は調節することができるようになっている。その具体的な構成を説明すると、開度調節保持機構２０は、主として基準部材２１とカム部材２３という２つの部材から構成されている。
【００２４】
このうち、基準部材２１は、上方から見たときに略隅丸長方形をした部材であり（図１参照）、その内周面には雌側セレーション２２が形成されている。この雌側セレーション２２は、セレーション軸１１が備える雄側セレーション１２に歯合することが可能となっており、雄側セレーション１２に対する雌側セレーション２２の噛み合わせ位置を変更することによって、ブラケット１０に対する基準部材２１の設置角度を変更することが可能である。
【００２５】
一方、カム部材２３は、基準部材２１の外周面にバネ２５を介して摺接することによって、一方向（図２における左右方向）に水平移動自在な部材である。その内周面の一部は、基準部材２１が有する略隅丸長方形のうちの平面部分２１ａと摺接可能なように平面形状２３ａに形成されている。したがって、カム部材２３は基準部材２１の有する平面部分２１ａと平行方向に移動することになる。また、カム部材２３の外周形状の特徴として、水平移動する方向の一端側（図２における右側）にはカム部２４が形成されており、このカム部２４は円弧型に湾曲した窪み形状をしている。なお、本実施形態では、カム部２４の窪みが１つ形成されている場合を例示しているが、カム部２４の窪みの形成個数については、２箇所以上複数個形成されていても良い。
【００２６】
そして、基準部材２１には、カム部材２３が水平移動する方向の一端側（図２における左側）に摺動軸２６が設置されるとともに、別端側（図２における右側）にバネ２５からの弾性力を受ける凹部２７が形成されている。一方、カム部材２３の側には、摺動軸２６を導通して基準部材２１に対するカム部材２３の水平移動を案内するための軸孔２３ｂと、凹部２７に当接するバネ２５の当接面とは別端側に位置してバネ２５の弾性力を調節する弾性力調節機構２８が設置されている。この弾性力調節機構２８は、カム部材２３が備えるねじ孔２３ｃに螺合する調整ねじ２８ａと、調整ねじ２８ａとバネ２５との間に狭持されるバネ力調整部材２８ｂとから構成されており、調整ねじ２８ａの締弛によってバネ２５に蓄えられる弾性力を変化させることができるようになっている。
【００２７】
以上のような構成から、開度調節保持機構２０は、雄側セレーション１２に対する雌側セレーション２２の噛み合わせ位置を変更することによって、ブラケット１０に対する基準部材２１の設置角度を変更することが可能となっている。また、基準部材２１の設置角度が決まるとカム部材２３の水平移動方向が定まることになるので、カム部材２３の移動方向は、任意に変更することが可能である。
【００２８】
リンク３０は、その両端部がブラケット１０とアーム１０２に回転移動可能に接続される部材であるが、さらにリンク３０は、開度調節保持機構２０から及ぼされる外力を受容することができる受容体としてのカムフォロワ３１を備えている。このカムフォロワ３１は、鉛直上方向に立設される軸体３２と、軸体３２に回転自在に設置されるローラ３３とから構成される部材であり、リンク３０が回転移動してちょうどカム部材２３が向く方向と重なったときに、カム部２４に対してカムフォロワ３１が嵌入するように配置されている。
【００２９】
そして、本実施形態に係るドアクローザ用外装式ストップ装置では、以上説明したブラケット１０、開度調節保持機構２０およびリンク３０が組立ボルト５０によって接続されている。具体的に説明すると、ブラケット１０に形成されたセレーション軸１１の軸下端部には組立用ねじ孔１３が形成されており、開度調節保持機構２０は基準部材２１の雌側セレーション２２が雄側セレーション１２に歯合した状態でセレーション軸１１に嵌め込まれ、リンク３０はブラケット１０に垂設されるセレーション軸１１の下端部を収納可能なセレーション軸受４０を介した状態でセレーション軸１１に嵌め込まれて、いずれも組立ボルト５０によってボルト止めされている。なお、組立ボルト５０は、リンク３０およびセレーション軸受４０との間に平ワッシャ４１およびスプリングワッシャ４２を挟んでねじ止めされている。
【００３０】
したがって、本実施形態に係るドアクローザ用外装式ストップ装置では、開度調節保持機構２０についていえば、組立ボルト５０を弛めたときには雌側セレーション２２と雄側セレーション１２の歯合が解除されて基準部材２１の回転移動が可能となり、組立ボルト５０を締めたときには雌側セレーション２２と雄側セレーション１２が歯合して回転移動が規制されることになる。つまり、組立ボルト５０の締弛によって基準部材２１の方向、すなわちカム部材２３の水平移動方向を任意に設定変更することが可能となるのである。
【００３１】
一方、リンク３０についていえば、リンク３０はセレーション軸受４０を介してセレーション軸１１に設置されているので、組立ボルト５０の締弛に関わらず回転移動可能である。したがって、リンク３０は、常にドア１００の開閉動作に伴う外力を伝達できるようになっている。
【００３２】
本実施形態に係るドアクローザ用外装式ストップ装置は、以上説明した構成を備えているので、次のような作用効果を発揮することになる。すなわち、ドア１００の開閉動作に応じてリンク３０は回転移動することになるのであるが、カムフォロワ３１がカム部材２３に接触すると、一方向のみ水平移動できるカム部材２３はカムフォロワ３１に押されて退避する。このカム部材２３の退避動作は、カム部２４の形状に沿った動きをすることになるが、カム部２４は円弧型に湾曲した窪み形状をしていることから、カム部材２３とリンク３０がちょうど重なる場所に位置したときに、カムフォロワ３１はカム部２４に嵌り込むことになる。このとき、カム部材２３はバネ２５の弾性力によってカムフォロワ３１を押圧することになるので、カムフォロワ３１を通じてリンク３０の動作は停止される。その結果、バネの弾性力はドア１００の保持力となって働き、ドア１００自体の開閉動作が停止されることになる。
【００３３】
なお、基準部材２１の図２における左側面が、カム部材２３の右方向の移動限界を規定しているので、基準部材２１、カム部材２３およびカムフォロワ３１の設置位置関係については、例えば、組み立てられたときにカムフォロワ３１がカム部２４にちょうど接触して嵌り込んだ状態となるように、基準部材２１の左側面とカム部材２３、および、カム部材２３のカム部２４とカムフォロワ３１がほぼ同時に接触するような寸法で各部材を構成することができる。この構成によれば、バネ２５の弾性力のほとんど全てを確実にカムフォロワ３１側に及ぼすことが可能となる。
【００３４】
また、組み立てられたときにカムフォロワ３１とカム部２４との間にわずかな隙間ができるように各部材を構成することもできる。この構成によれば、基準部材２１、カム部材２３およびカムフォロワ３１の設置位置関係に余裕があるので、本来のストップ装置としての機能を維持しつつ、組立作業の容易なドアクローザ用外装式ストップ装置を実現することが可能となる。
【００３５】
ドア１００の停止角度は、雄側セレーション１２に対する雌側セレーション２２の噛み合わせ位置を変更することによって任意に変えることができ、組立ボルト５０を弛めてブラケット１０に対する基準部材２１の設置角度を変更し、その後、組立ボルト５０を締めることによって決定することができる。また、カムフォロワ３１を押圧してドア１００の開閉動作を停止させる保持力については、調整ねじ２８ａの締弛を変更することによって調整することができる。
【００３６】
これらの操作は、本実施形態に係るドアクローザ用外装式ストップ装置の組立ボルト５０および調整ねじ２８ａが、いずれも操作し易い場所に位置するように設計されているので、短時間で容易に行うことができる。したがって、本実施形態に係るドアクローザ用外装式ストップ装置によれば、従来技術に比べて作業コストを抑制することが可能である。
【００３７】
また、本実施形態に係る開度調節保持機構２０は、従来のリンク１０６に比べて非常に製造・組立が容易な部品構成になっているので、本発明によれば、従来技術に比べて製造コストを削減することができるドアクローザ用外装式ストップ装置を提供することが可能である。
【００３８】
次に、図３Ａ、図３Ｂおよび図３Ｃを用いて、本実施形態に係るドアクローザ用外装式ストップ装置の動作を具体的に説明する。ここで、図３Ａないし図３Ｃは、いずれも本実施形態に係るドアクローザ用外装式ストップ装置の動作を説明するための概略図であり、図中（ａ）は要部透視上面図、図中（ｂ）は部分縦断面側面図を示している。
【００３９】
まず、図３Ａは、ドア１００の開閉動作に伴ってリンク３０が回転移動し、カムフォロワ３１とカム部材２３が接触した瞬間を示している。そして、リンク３０がさらに回転移動を続けると、カムフォロワ３１はカム部材２３に対して回転方向の押圧力を及ぼすことになるのであるが、カム部材２３は、カム部材２３自体が備える平面形状２３ａと基準部材２１が備える平面部分２１ａとが摺接することによって一方向（図３Ａにおける左右方向）にのみ水平移動自在な部材であるので、図３Ｂに示すようにカム部材２３はカムフォロワ３１に押されて（図３Ｂにおける左方向に）退避し、カムフォロワ３１はカム部２４への接触を維持しながら回転移動を続けることになる。
【００４０】
このようにしてリンク３０がさらに回転移動を続けると、図３Ｃに示すように、カムフォロワ３１はカム部２４の円弧型に湾曲した窪み形状の中に嵌り込むことになる。一旦カムフォロワ３１がカム部２４に嵌り込むと、カムフォロワ３１はバネ２５の弾性力によって（図３Ｃにおける右方向に）押圧され、この押圧力とカム部２４の窪み形状の効果によって回転方向の移動が規制されることになる。つまり、リンク３０の回転移動は開度調節保持機構２０によって停止させられることになるので、ドア１００の開閉動作が停止することになる。
【００４１】
なお、図３Ｃに示す状態における開閉動作を停止されたドア１００の開け閉めは、バネ２５の弾性力を超える力をドア１００に対して加えることによって可能となる。すなわち、ドア１００をバネ２５の弾性力以上の力で移動させることによって、上述した動作とは逆の動作（図３Ｃ→図３Ｂ→図３Ａの順の動作）が行われ、リンク３０の固定が解放されてドア１００の自由な開閉動作が可能となる。
【００４２】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【図面の簡単な説明】
【００４３】
【図１】本実施形態に係るドアクローザ用外装式ストップ装置を説明するための部分破断図であり、図１中（ａ）はドアクローザ用外装式ストップ装置の外観上面を示し、図１中（ｂ）は縦断面側面を示している。
【図２】本実施形態に係るドアクローザ用外装式ストップ装置の構成部材を詳細に説明するための分解図である。
【図３Ａ】本実施形態に係るドアクローザ用外装式ストップ装置の動作を説明するための概略図であり、図３Ａ中（ａ）は要部透視上面図、図３Ａ中（ｂ）は部分縦断面側面図を示している。
【図３Ｂ】本実施形態に係るドアクローザ用外装式ストップ装置の動作を説明するための概略図であり、図３Ｂ中（ａ）は要部透視上面図、図３Ｂ中（ｂ）は部分縦断面側面図を示している。
【図３Ｃ】本実施形態に係るドアクローザ用外装式ストップ装置の動作を説明するための概略図であり、図３Ｃ中（ａ）は要部透視上面図、図３Ｃ中（ｂ）は部分縦断面側面図を示している。
【図４】従来のストップ装置付きドアクローザの取付状態を例示する図である。
【図５】従来の外装式ストップ装置を説明するための部分破断図であり、図５中（ａ）は外装式ストップ装置の外観上面を示し、図５中（ｂ）は縦断面側面を示している。
【図６】従来の外装式ストップ装置におけるバネの弾性力調整作業の方法を例示する図である。
【符号の説明】
【００４４】
１０  ブラケット、１１  セレーション軸、１２  雄側セレーション、１３  組立用ねじ孔、２０  開度調節保持機構、２１  基準部材、２１ａ  平面部分、２２  雌側セレーション、２３  カム部材、２３ａ  平面形状、２３ｂ  軸孔、２３ｃ  ねじ孔、２４  カム部、２５  バネ、２６  摺動軸、２７  凹部、２８  弾性力調節機構、２８ａ  調整ねじ、２８ｂ  バネ力調整部材、３０  リンク、３１  カムフォロワ（受容体）、３２  軸体、３３  ローラ、４０  セレーション軸受、４１  平ワッシャ、４２  スプリングワッシャ、５０  組立ボルト、１００  ドア、１０１  ドアクローザ本体、１０２  アーム、１０３  ドア枠、１０４  外装式ストップ装置、１０５  ブラケット、１０６  リンク、１０７  アジャストリンク、１１０  カム板、１１１  セレーション形状、１１２  組立ボルト、１１３  バネ、１１４  球体、１１５  調整ねじ、１１８  ドライバー。
【図１】
2007138458.tif 000003
【図２】
2007138458.tif 000004
【図３Ａ】
2007138458.tif 000005
【図３Ｂ】
2007138458.tif 000006
【図３Ｃ】
2007138458.tif 000007
【図４】
2007138458.tif 000008
【図５】
2007138458.tif 000009
【図６】
2007138458.tif 000010